(57)【要約】【課題】誤放電を抑制し、且つ、ＰＤＰ内部空間の不純ガスの排気およびＰＤＰ内部空間への放電ガスの封入を良好に行うことを可能とすることで、輝度、画質を向上させることができるプラズマディスプレイパネルを実現することを目的とする。【解決手段】対向配置した前面板１と背面板２とを有し、前面板１は、行方向に伸延した走査電極４と維持電極５とからなる表示電極６を備え、背面板２は、列方向に伸延し表示電極６と直交するアドレス電極１０と、表示電極６とアドレス電極１０とが交差する部分に形成される複数の放電セル１５を区画する、行方向と列方向とで高さが等しい格子状の隔壁１２とを備えるプラズマディスプレイパネルにおいて、行方向の隔壁１２ａは、隣接する放電セル１５を列方向に対して非平行に連通する連通部１２ｃを備えるものである。【選択図】図１
2005079053.tif 000002
【特許請求の範囲】
【請求項１】
対向配置した前面板と背面板とを有し、前面板は、行方向に伸延した走査電極と維持電極とからなる表示電極を備え、背面板は、列方向に伸延し表示電極と直交するアドレス電極を備えるプラズマディスプレイパネルにおいて、表示電極とアドレス電極とが交差する部分に形成される複数の放電セルは個々に区画されており、隣接する放電セルは、非直線的に連通する連通部により連通していることを特徴とするプラズマディスプレイパネル。
【請求項２】
対向配置した前面板と背面板とを有し、前面板は、行方向に伸延した走査電極と維持電極とからなる表示電極を備え、背面板は、列方向に伸延し表示電極と直交するアドレス電極と、表示電極とアドレス電極とが交差する部分に形成される複数の放電セルを個々に区画する、行方向と列方向とで高さが等しい格子状の隔壁とを備えるプラズマディスプレイパネルにおいて、隔壁は、隣接する放電セルを非直線的に連通する連通部を備えることを特徴とするプラズマディスプレイパネル。
【請求項３】
対向配置した前面板と背面板とを有し、前面板は、行方向に伸延した走査電極と維持電極とからなる表示電極とそれを覆う誘電体層とを備え、背面板は、列方向に伸延し表示電極と直交するアドレス電極と、表示電極とアドレス電極とが交差する部分に形成される複数の放電セルを個々に区画する、行方向と列方向とで高さが等しい格子状の隔壁とを備えるプラズマディスプレイパネルにおいて、前記誘電体層は、前記格子状の隔壁と対峙する、行方向と列方向とで高さの等しい格子状の突出部を有し、かつ突出部は、隣接する放電セルを非直線的に連通する連通部を備えることを特徴とするプラズマディスプレイパネル。
【請求項４】
連通部が、屈曲部を有していることを特徴とする請求項１から３のいずれかに記載のプラズマディスプレイパネル。
【請求項５】
連通部の開口高さが、隔壁の高さと同じであることを特徴とする請求項２に記載のプラズマディスプレイパネル。
【請求項６】
連通部の開口高さが、隔壁の高さよりも低いことを特徴とする請求項２に記載のプラズマディスプレイパネル。
【請求項７】
連通部の開口高さが、突出部の高さと同じであることを特徴とする請求項３に記載のプラズマディスプレイパネル。
【請求項８】
連通部の開口高さが、突出部の高さよりも低いことを特徴とする請求項３に記載のプラズマディスプレイパネル。
【請求項９】
格子状の突出部に包囲されることで形成される凹部の形状が、円、楕円、多角形の中から選ばれる一つの形状であることを特徴とする請求項３に記載のプラズマディスプレイパネル。
【請求項１０】
プラズマディスプレイパネルの内部空間に、Ｘｅと、Ｎｅ、Ｈｅのうちの少なくとも一つとの混合ガスを封入するとともに、Ｘｅ分圧が５％〜５０％であることを特徴とする請求項１から９のいずれかに記載のプラズマディスプレイパネル。
【発明の詳細な説明】
【技術分野】
【０００１】
本発明は表示デバイスとして知られているプラズマディスプレイパネルに関するものである。
【背景技術】
【０００２】
近年、双方向情報端末として大画面、壁掛けテレビへの期待が高まっており、そのための表示デバイスとして、液晶表示パネル、フィールドエミッションディスプレイ、エレクトロルミネッセンスディスプレイ等の数多くのものがある。これらの表示デバイス中でもプラズマディスプレイパネル（ＰＤＰ）は、自発光型で美しい画像表示ができ、大画面化が容易である等の理由から、視認性に優れた薄型表示デバイスとして注目されており、高精細化および大画面化に向けた開発が進められている。
【０００３】
このＰＤＰには、大別して、駆動的にはＡＣ型とＤＣ型があり、放電形式では面放電型と対向放電型の２種類があるが、高精細化、大画面化および製造の簡便性から、現状では、ＡＣ型で面放電型のＰＤＰが主流を占めるようになってきている。
【０００４】
図２６にＰＤＰのパネル構造の一例を示す。ＰＤＰは、前面板１０１と背面板１０２とを対向配置して構成している。なお図２６では、構造を理解しやすいように前面板１０１と背面板１０２とを離して描いている。
【０００５】
前面板１０１は、フロート法による硼珪素ナトリウム系ガラス等からなるガラス基板などの透明な前面側の基板１０３上に、走査電極１０４と維持電極１０５とで対をなすストライプ状の表示電極１０６を複数対配列して形成し、そしてその表示電極１０６群を覆うように誘電体層１０７を形成し、その誘電体層１０７上にＭｇＯからなる保護膜１０８を形成することにより構成されている。なお、走査電極１０４および維持電極１０５は、それぞれ透明電極１０４ａ、１０５ａおよびこの透明電極１０４ａ、１０５ａに電気的に接続されたＣｒ／Ｃｕ／ＣｒまたはＡｇ等からなるバス電極１０４ｂ、１０５ｂとから構成されている。
【０００６】
また、背面板１０２は、前記前面側の基板１０３に対向配置される背面側の基板１０９上に、表示電極１０６と直交する方向にアドレス電極１１０を形成するとともに、そのアドレス電極１１０を覆うように誘電体層１１１を形成し、そして誘電体層１１１上にアドレス電極１１０間の位置に、アドレス電極１１０と平行にストライプ状の複数の隔壁１１２を形成するとともに、この隔壁１１２間の側面および誘電体層１１１の表面に蛍光体層１１３を形成することにより構成されている。なお、カラー表示のために前記蛍光体層１１３は、通常、赤、緑、青の３色が順に配置されている。
【０００７】
そして、以上の前面板１０１と背面板１０２とは、表示電極１０６とアドレス電極１１０とが直交し、内部に微小な放電空間を形成するように隔壁１１２を挟んで対向配置するとともに、周囲を封着部材により封止し、そして前記放電空間にＮｅ（ネオン）、Ｘｅ（キセノン）などを混合してなる放電ガスを６６５００Ｐａ（５００Ｔｏｒｒ）程度の圧力で封入することによりパネルが構成されている。
【０００８】
ＰＤＰの放電空間は、隔壁１１２によって複数の区画に仕切られており、そしてこの隔壁１１２間に単位発光領域となる複数の放電セルを形成するように表示電極１０６を設けるとともに、表示電極１０６とアドレス電極１１０とを直交して配置している。
【０００９】
このＰＤＰでは、アドレス電極１１０、表示電極１０６に印加する周期的な電圧によって放電を発生させ、この放電による紫外線を蛍光体層１１３に照射して可視光に変換することにより、画像表示を行っている。
【００１０】
表示電極１０６を構成する走査電極１０４と維持電極１０５とは、図２７に画像表示部の概略構成の平面図で示すように、マトリクス表示の各ラインにおいて放電ギャップ１１４を挟んで列方向に伸延して配設されている。ここで、隔壁１１２で仕切られ、表示電極１０６とアドレス電極１１０とが交差する部分の領域が単位発光領域である放電セル１１５となる。また、非発光領域１１６には、コントラストを向上させる目的でブラックストライプ（不図示）を形成することもある（例えば、非特許文献１参照）。
【非特許文献１】内池平樹、御子柴茂生共著、「プラズマディスプレイのすべて」、（株）工業調査会、１９９７年５月１日、ｐ７９−ｐ８０
【発明の開示】
【発明が解決しようとする課題】
【００１１】
このＰＤＰの発展のためには、更なる高輝度化、高効率化、低消費電力化、低コスト化が不可欠となっている。高輝度化を達成するためには、例えば、図２７に示した構成において、隣接する放電セル１１５間の非発光領域１１６を狭くし、放電ギャップ１１４側の電極間隔を広げることにより、放電の領域を広くするという方法が挙げられるが、この場合、隣接する放電セル１１５間での誤放電も増加してしまうという問題が生じる場合がある。
【００１２】
ここで、隔壁１１２を格子状に形成することで誤放電を抑制することも考えられるが、この場合は、ＰＤＰを製造する際に行う、ＰＤＰ内部空間の不純ガスの排出およびＰＤＰ内部空間への放電ガスの封入を良好に行うことが困難となってしまうという問題が生じる場合がある。
【００１３】
本発明は上記課題に鑑みてなされたもので、誤放電を抑制し、且つ、ＰＤＰ内部空間の不純ガスの排気およびＰＤＰ内部空間への放電ガスの封入を良好に行うことを可能とすることで、輝度、画質を向上させることができるプラズマディスプレイパネルを実現することを目的とする。
【課題を解決するための手段】
【００１４】
この目的を達成するために本発明のプラズマディスプレイパネルは、対向配置した前面板と背面板とを有し、前面板は、行方向に伸延した走査電極と維持電極とからなる表示電極を備え、背面板は、列方向に伸延し表示電極と直交するアドレス電極を備えるプラズマディスプレイパネルにおいて、表示電極とアドレス電極とが交差する部分に形成される複数の放電セルは個々に区画されており、隣接する放電セルは、非直線的に連通する連通部により連通していることを特徴とするものである。
【００１５】
また、この目的を達成するために本発明のプラズマディスプレイパネルは、対向配置した前面板と背面板とを有し、前面板は、行方向に伸延した走査電極と維持電極とからなる表示電極を備え、背面板は、列方向に伸延し表示電極と直交するアドレス電極と、表示電極とアドレス電極とが交差する部分に形成される複数の放電セルを個々に区画する、行方向と列方向とで高さが等しい格子状の隔壁とを備えるプラズマディスプレイパネルにおいて、隔壁は、隣接する放電セルを非直線的に連通する連通部を備えることを特徴とするものである。
【００１６】
また、この目的を達成するために本発明のプラズマディスプレイパネルは、対向配置した前面板と背面板とを有し、前面板は、行方向に伸延した走査電極と維持電極とからなる表示電極とそれを覆う誘電体層とを備え、背面板は、列方向に伸延し表示電極と直交するアドレス電極と、表示電極とアドレス電極とが交差する部分に形成される複数の放電セルを個々に区画する、行方向と列方向とで高さが等しい格子状の隔壁とを備えるプラズマディスプレイパネルにおいて、前記誘電体層は、前記格子状の隔壁と対峙する、行方向と列方向とで高さの等しい格子状の突出部を有し、かつ突出部は、隣接する放電セルを非直線的に連通する連通部を備えることを特徴とするものである。
【発明の効果】
【００１７】
本発明のプラズマディスプレイパネルは、誤放電を抑制し、且つ、ＰＤＰ内部空間の不純ガスの排気およびＰＤＰ内部空間への放電ガスの封入を良好に行うことが可能となり、輝度、画質を向上させることができるプラズマディスプレイパネルを実現することができる。
【発明を実施するための最良の形態】
【００１８】
すなわち、本発明の請求項１に記載の発明は、対向配置した前面板と背面板とを有し、前面板は、行方向に伸延した走査電極と維持電極とからなる表示電極を備え、背面板は、列方向に伸延し表示電極と直交するアドレス電極を備えるプラズマディスプレイパネルにおいて、表示電極とアドレス電極とが交差する部分に形成される複数の放電セルは個々に区画されており、隣接する放電セルは、非直線的に連通する連通部により連通していることを特徴とするプラズマディスプレイパネルである。
【００１９】
また、請求項２に記載の発明は、対向配置した前面板と背面板とを有し、前面板は、行方向に伸延した走査電極と維持電極とからなる表示電極を備え、背面板は、列方向に伸延し表示電極と直交するアドレス電極と、表示電極とアドレス電極とが交差する部分に形成される複数の放電セルを個々に区画する、行方向と列方向とで高さが等しい格子状の隔壁とを備えるプラズマディスプレイパネルにおいて、隔壁は、隣接する放電セルを非直線的に連通する連通部を備えることを特徴とするプラズマディスプレイパネルである。
【００２０】
また、請求項３に記載の発明は、対向配置した前面板と背面板とを有し、前面板は、行方向に伸延した走査電極と維持電極とからなる表示電極とそれを覆う誘電体層とを備え、背面板は、列方向に伸延し表示電極と直交するアドレス電極と、表示電極とアドレス電極とが交差する部分に形成される複数の放電セルを個々に区画する、行方向と列方向とで高さが等しい格子状の隔壁とを備えるプラズマディスプレイパネルにおいて、前記誘電体層は、前記格子状の隔壁と対峙する、行方向と列方向とで高さの等しい格子状の突出部を有し、かつ突出部は、隣接する放電セルを非直線的に連通する連通部を備えることを特徴とするプラズマディスプレイパネルである。
【００２１】
また、請求項４に記載の発明は、請求項１から３のいずれかに記載の発明において、連通部が、屈曲部を有していることを特徴とするものである。
【００２２】
また、請求項５に記載の発明は、請求項２に記載の発明において、連通部の開口高さが、隔壁の高さと同じであることを特徴とするものである。
【００２３】
また、請求項６に記載の発明は、請求項２に記載の発明において、連通部の開口高さが、隔壁の高さよりも低いことを特徴とするものである。
【００２４】
また、請求項７に記載の発明は、請求項３に記載の発明において、連通部の開口高さが、突出部の高さと同じであることを特徴とするものである。
【００２５】
また、請求項８に記載の発明は、請求項３に記載の発明において、連通部の開口高さが、突出部の高さよりも低いことを特徴とするものである。
【００２６】
また、請求項９に記載の発明は、請求項３に記載の発明において、格子状の突出部に包囲されることで形成される凹部の形状が、円、楕円、多角形の中から選ばれる一つの形状であることを特徴とするものである。
【００２７】
また、請求項１０に記載の発明は、請求項１から９のいずれかに記載の発明において、プラズマディスプレイパネルの内部空間に、Ｘｅと、Ｎｅ、Ｈｅのうちの少なくとも一つとの混合ガスを封入するとともに、Ｘｅ分圧が５％〜５０％であることを特徴とするものである。
【００２８】
以下、本発明の一実施の形態によるプラズマディスプレイパネルについて説明する。
【００２９】
（実施の形態１）
図１は、本発明の一実施の形態によるプラズマディスプレイパネルの概略構成を示す断面斜視図である。
【００３０】
図１に示すように、本実施の形態のＰＤＰは、前面板１と背面板２とから構成されている。なお図１では、構造を理解しやすいように前面板１と背面板２とを離して描いている。
【００３１】
前面板１は、フロート法による硼珪素ナトリウム系ガラス等からなるガラス基板などの透明な前面側の基板３上に、行方向（図中のｘ方向）に伸延した走査電極４と維持電極５とで対をなすストライプ状の表示電極６を複数対配列して形成し、そしてその表示電極６群を覆うように誘電体層７を形成し、その誘電体層７上にＭｇＯからなる保護膜８を形成することにより構成されている。なお、走査電極４および維持電極５は、それぞれ透明電極４ａ、５ａ、およびこの透明電極４ａ、５ａに電気的に接続されたＣｒ／Ｃｕ／ＣｒまたはＡｇ等からなるバス電極４ｂ、５ｂとから構成されている。
【００３２】
また、背面板２は、基板３に対向配置される背面側の基板９上に、列方向（図中のｙ方向）に伸延して表示電極６と直交するようにアドレス電極１０を形成するとともに、そのアドレス電極１０を覆うように誘電体層１１を形成し、そして誘電体層１１上に隔壁１２を形成しており、隔壁１２の形状は、行方向の隔壁１２ａと列方向の隔壁１２ｂとで高さが等しい格子状である。また、この隔壁１２の行方向の隔壁１２ａには連通部１２ｃが形成されており、この連通部１２ｃは、例えば、屈曲部を有することで非直線的に連通するものである。
【００３３】
そして、この隔壁１２間の側面および誘電体層１１の表面には蛍光体層（不図示）を形成している。なお、カラー表示のために蛍光体層は、通常、赤、緑、青の３色が順に配置されている。
【００３４】
そして、以上の前面板１と背面板２とを、表示電極６とアドレス電極１０とが直交し、内部に微小な放電空間を形成するように隔壁１２を挟んで対向配置するとともに、周囲を封着部材により封止し、そして前記放電空間に、キセノン（Ｘｅ）と、ネオン（Ｎｅ）、ヘリウム（Ｈｅ）のうちの少なくとも一つとを混合してなる放電ガスを６６５００Ｐａ（５００Ｔｏｒｒ）程度の圧力で封入することによりＰＤＰを構成している。ここで、Ｘｅの分圧は５％〜５０％とすることが、効率の観点から好ましい。
【００３５】
このＰＤＰの放電空間は、隔壁１２によって複数の区画に仕切られており、そして、この仕切られた放電空間が単位発光領域である放電セル１５となるように、表示電極６とアドレス電極１０とが直交して配置されている。
【００３６】
このＰＤＰでは、アドレス電極１０、表示電極６に印加する周期的な電圧によって放電を発生させ、この放電による紫外線を蛍光体層に照射して可視光に変換させることにより、画像表示を行う。
【００３７】
図２に、本発明の一実施の形態によるＰＤＰの画像表示部の概略構成を平面図で示す。また、図２中での、Ａ−Ａ矢視断面図、Ｂ−Ｂ矢視断面図、Ｃ−Ｃ矢視断面図、Ｄ−Ｄ矢視断面図をそれぞれ、図３、図４、図５、図６に示す。これらの図においては、蛍光体層１３を図示している。
【００３８】
図２〜図６に示すように、走査電極４と維持電極５は、マトリクス表示の各ラインにおいて放電ギャップ１４を挟んで隣接するように列方向に交互に配列されている。ここで、行方向の隔壁１２ａと列方向の隔壁１２ｂとで囲まれた領域が単位発光領域である放電セル１５となる。また、非発光領域１６には、コントラストを向上させる目的でブラックストライプ（不図示）を形成することがある。
【００３９】
以上説明した本発明の一実施の形態によるＰＤＰにおいて、隔壁１２は、行方向の隔壁１２ａと列方向の隔壁１２ｂとの高さが等しい格子状であり、表示電極６とアドレス電極１０とが交差する部分に形成される複数の放電セル１５を個々に区画するものである。そして、隔壁１２に設けられた連通部１２ｃは、例えば屈曲部１２ｄを有することで、隣接する放電セル１５を非直線的に連通する。なお、図では行方向の隔壁１２ａに連通部１２ｃを設けた場合を示したが、列方向の隔壁１２ｂに設けても構わない。
【００４０】
ここで、「非直線的に連通する」とは、連通部１２ｃは、隣接する放電セル１５を、直線的には連通しないということであり、例えば図７に隔壁１２を模式的に断面平面図で示すように、連通部１２ｃが屈曲部１２ｄを有したものであっても、図７（ａ）のように、直線的に連通する領域１２ｅが存在するものは本発明の範疇に入らない。図７（ｂ）のように、直線的に連通する領域が存在しない状態の連通部１２ｃが本発明での連通部１２ｃである。
【００４１】
上述したような隔壁１２を備えることにより、本実施の形態のＰＤＰは、隣接する放電セル１５間での誤放電の問題が抑制されるとともに、ＰＤＰ内部に対する不純ガスの排気および放電ガスの封入も良好に行うことができる。
【００４２】
すなわち、本実施の形態においては、隔壁１２が行方向、列方向とに高さの等しい格子状であり、放電セル１５の周囲を囲むように配設されているが、隔壁１２の行方向の隔壁１２ａには連通部１２ｃが存在することから、隔壁１２が放電セル１５の周囲を囲む格子状であっても、ＰＤＰの製造に際して個々の放電セル１５に対する不純ガスの排気および放電ガスの封入を良好に行うことができる。
【００４３】
また、誤放電が発生する理由としては、荷電粒子が隣接する放電セル１５に到達し影響を及ぼすためと考えられるが、この荷電粒子の運動は、一般的に、直線的であると考えられ、したがって、隔壁１２ａに連通部１２ｃが存在しても、連通部１２ｃは隣接する放電セル１５を非直線的に連通するものであることから、荷電粒子が連通部１２ｃを通過して隣接する放電セル１５に到達する確率は小さいものとなり、したがって誤放電発生の問題を抑制することが可能となる。
【００４４】
なお、以上の説明においては、連通部１２ｃは行方向の隔壁１２ａに一箇所づつ設けた例を示したが、複数設けたものであっても構わない。
【００４５】
また、以上の説明においては、行方向の隔壁１２ａに連通部１２ｃを設けた場合を示したが、列方向の隔壁１２ｂに設けたもの、両方に設けたものであっても構わない。
【００４６】
また、以上の説明では、連通部１２ｃの開口高さ、すなわち、本実施の形態では、連通部１２ｃである溝の深さと、隔壁１２の高さとが同じである例を示したが、特にこのような構成に限るものではなく、図８に断面斜視図で示すように、連通部１２ｃの開口高さを、隔壁１２の高さよりも低くなるように構成したものであっても構わない。連通部１２ｃの開口高さと隔壁１２の高さとが同じであると、隔壁１２の形成と同時に連通部１２ｃの形成が行えるため、工程の増加を防止できる。また、連通部１２ｃの開口高さが隔壁１２の高さよりも低くなるようにすると、形成した隔壁１２の形状の安定性を向上させることができる。
【００４７】
また、非直線的に連通する連通部１２ｃとしては、上述したような形態以外にも、例えば図９に示すように連通部１２ｃ全体が円弧状に屈曲したものや、図１０および図１１に示すように、隔壁１２の行方向の隔壁１２ａおよび／または列方向の隔壁１２ｂが複数本、例えば２本からなり、それらが隣接する放電セル１５を直線的には連通しないように空間を形成し、この空間を連通部１２ｃとするように、隔壁１２をオーバーラップさせて設けた構造などが挙げられる。なお図示しないが、図１０と図１１とを組み合わせた構造でも構わない。
【００４８】
また、以上の説明では、連通部１２ｃは、図中のｘ−ｙ方向に屈曲することで非直線的に連通する例を示したが、特にこのような構成に限るものではなく、例えば、ｚ方向への屈曲により連通を非直線的としたものであっても構わない。
【００４９】
また、連通部１２ｃの開口形状はどのような形状であっても構わない。
【００５０】
（実施の形態２）
図１２は、本発明の一実施の形態によるプラズマディスプレイパネルの概略構成を示す断面斜視図である。
【００５１】
図１２に示すように、本実施の形態のＰＤＰは、前面板２１と背面板２２とから構成されている。なお図１２では、構造を理解しやすいように前面板２１と背面板２２とを離して描いている。
【００５２】
前面板２１は、フロート法による硼珪素ナトリウム系ガラス等からなるガラス基板などの透明な前面側の基板２３上に、行方向（図中のｘ方向）に伸延した走査電極２４と維持電極２５とで対をなすストライプ状の表示電極２６を複数対配列して形成し、そしてその表示電極２６群を覆うように誘電体層２７を形成し、その誘電体層２７上にＭｇＯからなる保護膜２８を形成することにより構成されている。なお、走査電極２４および維持電極２５は、それぞれ透明電極２４ａ、２５ａ、およびこの透明電極２４ａ、２５ａに電気的に接続されたＣｒ／Ｃｕ／ＣｒまたはＡｇ等からなるバス電極２４ｂ、２５ｂとから構成されている。また、誘電体層２７は、行方向と列方向とにそれぞれ高さの等しい突出部２７ａ、２７ｂを有して格子状をなしている。そして、行方向の突出部２７ａには、突出部２７ａの高さと同等の開口高さを有する連通部２７ｃが形成されており、この連通部２７ｃは、例えば、屈曲部を有することで非直線的に連通するものである。
【００５３】
また、背面板２２は、基板２３に対向配置される背面側の基板２９上に、列方向（図中のｙ方向）に伸延して表示電極２６と直交する方向にアドレス電極３０を形成するとともに、そのアドレス電極３０を覆うように誘電体層３１を形成し、そして誘電体層３１上に隔壁３２を形成しており、隔壁３２の形状は、行方向と列方向とで高さが等しい格子状である。
【００５４】
そして、この隔壁３２間の側面および誘電体層３１の表面には蛍光体層（不図示）を形成している。なお、カラー表示のために蛍光体層は、通常、赤、緑、青の３色が順に配置されている。
【００５５】
そして、以上の前面板２１と背面板２２とを、表示電極２６とアドレス電極３０とが直交し、内部に微小な放電空間を形成するように隔壁３２を挟んで対向配置するとともに、周囲を封着部材により封止し、そして前記放電空間に、キセノン（Ｘｅ）と、ネオン（Ｎｅ）、ヘリウム（Ｈｅ）のうちの少なくとも一つとを混合してなる放電ガスを６６５００Ｐａ（５００Ｔｏｒｒ）程度の圧力で封入することによりＰＤＰを構成している。ここで、Ｘｅの分圧は５％〜５０％とすることが、効率の観点から好ましい。
【００５６】
このＰＤＰの放電空間は、格子状の隔壁３２および誘電体層２７の格子状の突出部２７ａ、２７ｂとが対峙することによって、複数の区画に仕切られており、そして、この仕切られた放電空間が単位発光領域である放電セル３５となるように、表示電極２６とアドレス電極３０とが直交して配置されている。
【００５７】
このＰＤＰでは、アドレス電極３０、表示電極２６に印加する周期的な電圧によって放電を発生させ、この放電による紫外線を蛍光体層に照射して可視光に変換させることにより、画像表示を行う。
【００５８】
図１３に、本発明の一実施の形態によるＰＤＰの画像表示部の概略構成を平面図で示す。
【００５９】
また、図１３中での、Ａ−Ａ矢視断面図、Ｂ−Ｂ矢視断面図、Ｃ−Ｃ矢視断面図、Ｄ−Ｄ矢視断面図をそれぞれ、図１４、図１５、図１６、図１７に示す。これらの図においては、蛍光体層３３を図示している。
【００６０】
図１３〜図１７に示すように、走査電極２４と維持電極２５は、マトリクス表示の各ラインにおいて放電ギャップ３４を挟んで隣接するように列方向に交互に配列されている。ここで、隔壁３２と、行方向の突出部２７ａおよび列方向の突出部２７ｂとで囲まれた領域が単位発光領域である放電セル３５となる。また、非発光領域３６には、コントラストを向上させる目的でブラックストライプ（不図示）を形成することがある。
【００６１】
以上説明した本発明の一実施の形態によるＰＤＰにおいて、隔壁３２と誘電体層２７の突出部２７ａ、２７ｂとは、それぞれ、行方向と列方向とで高さの等しい格子状で、互いに対峙しており、表示電極２６とアドレス電極３０とが交差する部分に形成される複数の放電セル３５を個々に区画するものである。そして、誘電体層２７の突出部２７ａに設けられた連通部２７ｃは、例えば屈曲部２７ｄを有することで、隣接する放電セル３５を非直線的に連通する。なお、図では行方向の突出部２７ａに連通部２７ｃを設けた場合を示したが、列方向の突出部２７ｂに設けても構わない。
【００６２】
ここで、「非直線的に連通する」とは、連通部２７ｃは、隣接する放電セル３５を、直線的には連通しないということであり、例えば図１８に誘電体層２７およびその突出部２７ａ、２７ｂを模式的に断面平面図で示すように、連通部２７ｃが屈曲部２７ｄを有したものであっても、図１８（ａ）のように、直線的に連通する領域２７ｅが存在するものは本発明の範疇に入らない。図１８（ｂ）のように、直線的に連通する領域が存在しない状態の連通部２７ｃが本発明での連通部２７ｃである。
【００６３】
上述したような隔壁３２および誘電体層２７の突出部２７ａ、２７ｂを備えることにより、本実施の形態のＰＤＰは、隣接する放電セル３５間での誤放電の問題が抑制されるとともに、ＰＤＰ内部に対する不純ガスの排気および放電ガスの封入も良好に行うことができる。
【００６４】
すなわち、本実施の形態においては、隔壁３２と誘電体層２７の突出部２７ａ、２７ｂとは、それぞれ、行方向と列方向とで高さの等しい格子状で、互いに対峙しており、放電セル３５の周囲を囲むように配設されているが、行方向の突出部２７ａには連通部２７ｃが存在することから、隔壁３２および突出部２７ａ、２７ｂが放電セル３５の周囲を囲む格子状であっても、ＰＤＰの製造に際して個々の放電セル３５に対する不純ガスの排気および放電ガスの封入を良好に行うことができる。
【００６５】
また、誤放電が発生する理由としては、荷電粒子が隣接する放電セル３５に到達し影響を及ぼすためと考えられるが、この荷電粒子の運動は、一般的に、直線的であると考えられ、したがって、突出部２７ａに連通部２７ｃが存在しても、連通部２７ｃは隣接する放電セル３５を非直線的に連通するものであることから、荷電粒子が連通部２７ｃを通過して隣接する放電セル３５に到達する確率は小さいものとなり、したがって誤放電発生の問題を抑制することが可能となる。
【００６６】
なお、以上の説明においては、連通部２７ｃは行方向の突出部２７ａに一箇所づつ設けた例を示したが、複数設けたものであっても構わない。
【００６７】
また、以上の説明においては、行方向の突出部２７ａに連通部２７ｃを設けた場合を示したが、列方向の突出部２７ｂに設けたもの、両方に設けたものであっても構わない。
【００６８】
また、図１９〜図２２に、突出部２７ａ、２７ｂに包囲されることで誘電体層２７に形成される凹部２７ｆの形状の一例を斜視図で示す。突出部２７ａ、２７ｂにより包囲されることで形成される凹部２７ｆの形状は、図１９に示す四角形以外に、図２０〜図２２に示すように、円、楕円、多角形、四隅を面取り（図では丸面取り）した四角形等でも良い。ここで、凹部２７ｆの形状が、図２０〜図２２に示すような、角が尖っていない形状であると、凹部２７ｆの角に対して作用する応力集中を緩和することができ、突出部２７ａ、２７ｂの形状を安定して作製することができるため、好ましい。なお、図１９〜図２２は、一つの放電セル３５における凹部２７ｆの形状を示すものであり、前面板２１全体では、この凹部２７ｆがマトリクス状に存在することで、突出部２７ａ、２７ｂにより誘電体層２７は格子状の突出部２７ａ、２７ｂを有する形状となる。
【００６９】
また、以上の説明では、連通部２７ｃの開口高さ、すなわち、本実施の形態では、連通部２７ｃである溝の深さと、突出部２７ａの高さとが同じである例を示したが、特にこのような構成に限るものではなく、図２３に示すように、連通部２７ｃの開口高さを、突出部２７ａの高さよりも低くなるように構成したものであっても構わない。連通部２７ｃの開口高さと突出部２７ａの高さとが同じであると、突出部２７ａの形成と同時に連通部２７ｃの形成が行えるため、工程の増加を防止できる。また、連通部２７ｃの開口高さが突出部２７ａの高さよりも低くなるようにすると、形成した突出部２７ａ、２７ｂの形状の安定性を向上させることができる。
【００７０】
また、非直線的に連通する連通部２７ｃとしては、上述したような形態以外にも、例えば図２４に示すように連通部２７ｃ全体が円弧状に屈曲したものや、図２５に示すように、突出部２７ａを複数本、例えば２本の組み合わせた状態のものとし、それらが隣接する放電セル３５を直線的には連通しないように空間を形成し、この空間を連通部２７ｃとするように、突出部２７ａをオーバーラップさせて設けた構造などが挙げられる。図２５の構成の場合、排気時および放電ガス封入時での問題、誤放電の問題を抑制することができるとともに、隣接する電極間（例えば、隣接する放電セル３５の、一方の放電セル３５の走査電極２４ともう一方の放電セル３５の維持電極２５）にて発生する無効電力を低減することが可能となる。すなわち、無効電力は静電容量に大きく影響を受けるため、隣接する電極間の非発光領域３６部分を誘電体層２７の突出部２７ａで満たすより、静電容量の小さなガスの部分とすることで、無効電力を低減することができる。
【００７１】
また、以上の説明では、連通部２７ｃは、図中のｘ−ｙ方向に屈曲することで非直線的に連通する例を示したが、特にこのような構成に限るものではなく、例えば、ｚ方向への屈曲により連通を非直線的としたものであっても構わない。
【００７２】
また、連通部２７ｃの開口形状はどのような形状であっても構わない。
【００７３】
また、誘電体層２７上に形成する突出部２７ａ、２７ｂは、各放電セル３５の非発光領域３６に形成する場合にはブラックストライプのように黒色のものでも良い。この場合は、突出部２７ａ、２７ｂとブラックストライプとを兼用できるため、工程数の増加が発生しない。
【００７４】
ここで、突出部２７ａでの誘電体層２７総膜厚は、下地の部分の膜厚と突出部２７ａ自身の膜厚との合計として、５μｍ〜６０μｍが好ましい。例えば、放電ギャップ３４上の誘電体層２７の下地部分の膜厚が３０μｍで、突出部２７ａ自身の膜厚が２０μｍの場合、誘電体層２７の総厚は５０μｍである。
【産業上の利用可能性】
【００７５】
以上のように本発明は、誤放電の抑制と、不純ガスの排気、放電ガスの封入を良好に行うことで、輝度と画質の向上を可能とするプラズマディスプレイパネルを実現することができる。
【図面の簡単な説明】
【００７６】
【図１】本発明の一実施の形態によるプラズマディスプレイパネルの概略構成を示す断面斜視図
【図２】本発明の一実施の形態によるプラズマディスプレイパネルの画像表示部の概略構成を示す平面図
【図３】図２におけるＡ−Ａ矢視断面図
【図４】図２におけるＢ−Ｂ矢視断面図
【図５】図２におけるＣ−Ｃ矢視断面図
【図６】図２におけるＤ−Ｄ矢視断面図
【図７】連通部を説明するための隔壁の断面平面図
【図８】本発明の一実施の形態によるプラズマディスプレイパネルの概略構成を示す断面斜視図
【図９】本発明の一実施の形態によるプラズマディスプレイパネルの連通部の一例を示すための隔壁の平面図
【図１０】本発明の一実施の形態によるプラズマディスプレイパネルの連通部の一例を示すための隔壁の平面図
【図１１】本発明の一実施の形態によるプラズマディスプレイパネルの連通部の一例を示すための隔壁の平面図
【図１２】本発明の一実施の形態によるプラズマディスプレイパネルの概略構成を示す断面斜視図
【図１３】本発明の一実施の形態によるプラズマディスプレイパネルの画像表示部の概略構成を示す平面図
【図１４】図１１におけるＡ−Ａ矢視断面図
【図１５】図１１におけるＢ−Ｂ矢視断面図
【図１６】図１１におけるＣ−Ｃ矢視断面図
【図１７】図１１におけるＤ−Ｄ矢視断面図
【図１８】連通部を説明するための誘電体層の断面平面図
【図１９】本発明の一実施の形態によるプラズマディスプレイパネルの連通部を説明するための放電セル部の概略構成を示す斜視図
【図２０】本発明の一実施の形態によるプラズマディスプレイパネルの連通部を説明するための放電セル部の概略構成を示す斜視図
【図２１】本発明の一実施の形態によるプラズマディスプレイパネルの連通部を説明するための放電セル部の概略構成を示す斜視図
【図２２】本発明の一実施の形態によるプラズマディスプレイパネルの連通部を説明するための放電セル部の概略構成を示す斜視図
【図２３】本発明の一実施の形態によるプラズマディスプレイパネルの連通部を説明するための放電セル部の概略構成を示す斜視図
【図２４】本発明の一実施の形態によるプラズマディスプレイパネルの連通部の一例を示すための画像表示部の概略構成を示す平面図
【図２５】本発明の一実施の形態によるプラズマディスプレイパネルの連通部の一例を示すための画像表示部の概略構成を示す平面図
【図２６】従来のプラズマディスプレイパネルの概略構成を示す断面斜視図
【図２７】従来のプラズマディスプレイパネルの画像表示部の概略構成を示す平面図
【符号の説明】
【００７７】
１、２１  前面板
２、２２  背面板
４、２４  走査電極
５、２５  維持電極
６、２６  表示電極
７、２７  誘電体層
１０、３０  アドレス電極
１２、３２  隔壁
１２ａ  行方向の隔壁
１２ｂ  列方向の隔壁
１２ｃ、２７ｃ  連通部
１５、３５  放電セル
２７ａ  誘電体層の行方向の突出部
２７ｂ  誘電体層の列方向の突出部
【図１】
2005079053.tif 000003
【図２】
2005079053.tif 000004
【図３】
2005079053.tif 000005
【図４】
2005079053.tif 000006
【図５】
2005079053.tif 000007
【図６】
2005079053.tif 000008
【図７】
2005079053.tif 000009
【図８】
2005079053.tif 000010
【図９】
2005079053.tif 000011
【図１０】
2005079053.tif 000012
【図１１】
2005079053.tif 000013
【図１２】
2005079053.tif 000014
【図１３】
2005079053.tif 000015
【図１４】
2005079053.tif 000016
【図１５】
2005079053.tif 000017
【図１６】
2005079053.tif 000018
【図１７】
2005079053.tif 000019
【図１８】
2005079053.tif 000020
【図１９】
2005079053.tif 000021
【図２０】
2005079053.tif 000022
【図２１】
2005079053.tif 000023
【図２２】
2005079053.tif 000024
【図２３】
2005079053.tif 000025
【図２４】
2005079053.tif 000026
【図２５】
2005079053.tif 000027
【図２６】
2005079053.tif 000028
【図２７】
2005079053.tif 000029